(57)【要約】【課題】不使用時には操作部材をロック状態にすることが可能な噴射装置を小型化する。【解決手段】キャップ２０には、操作ボタン３０の円筒状壁部３１の内方に配置される内壁部２３が設けられている。内壁部２３には、操作ボタン３０の突出板部３５に対して押動操作方向から係合する中間縁部２７ａと、操作ボタン３０をアンロック位置まで回動させたときに突出板部３５が押動操作方向に移動するのを許容する溝部２７とが設けられている。【選択図】図７
2016130142.tif 000002
【特許請求の範囲】
【請求項１】
噴射物を収容するとともに、該噴射物を噴射させるための押動操作可能な噴射部を有する容器と、
上記容器に固定される固定部材と、
上記容器の噴射部を押動操作するための操作部材とを備えた噴射装置において、
上記操作部材には、押動操作方向に延びる壁部が設けられ、
上記固定部材には、上記操作部材の壁部の内方に配置されて該壁部に沿って延びる内壁部が設けられ、
上記操作部材の壁部には、係合部が設けられ、
上記内壁部には、上記係合部に対して押動操作方向から係合して上記操作部材の押動操作方向への移動を阻止するロック部と、上記操作部材を押動操作方向に延びる直線周りに所定のアンロック位置まで回動させたときに上記係合部が押動操作方向に移動するのを許容するアンロック部とが設けられていることを特徴とする噴射装置。
【請求項２】
請求項１に記載の噴射装置において、
上記固定部材の内壁部は、上記操作部材の壁部を押動操作方向に案内するように形成されていることを特徴とする噴射装置。
【請求項３】
請求項１または２に記載の噴射装置において、
上記係合部は、上記壁部の内面から突出する突出部で構成されており、
上記アンロック部は、押動操作方向に延びるように上記内壁部に形成された溝で構成されていることを特徴とする噴射装置。
【請求項４】
請求項３に記載の噴射装置において、
上記内壁部には、上記操作部材を上記アンロック位置まで回動させたときに上記係合部が当接して上記操作部材の回動を阻止するストッパ部が設けられていることを特徴とする噴射装置。
【請求項５】
請求項１から４のいずれか１つに記載の噴射装置において、
上記内壁部には、上記操作部材を所定のアンロック位置まで回動させたときに該操作部材の壁部に嵌合する第１嵌合部が設けられていることを特徴とする噴射装置。
【請求項６】
請求項１から５のいずれか１つに記載の噴射装置において、
上記内壁部には、上記操作部材を上記係合部と上記ロック部とが係合するまで回動させたときに該操作部材の壁部に嵌合する第２嵌合部が設けられていることを特徴とする噴射装置。
【発明の詳細な説明】
【技術分野】
【０００１】
本発明は、例えば害虫防除剤等を噴射する噴射装置に関するものである。
【背景技術】
【０００２】
一般に、例えば各種薬剤等を空間に噴射する際に噴射装置が用いられている。特許文献１に開示されている噴射装置は、容器に吐出ボタンを設けており、この吐出ボタンを操作することによって容器の内容物を噴射することができるように構成されている。また、特許文献１の容器には、誤作動防止キャップが設けられている。誤作動防止キャップは、吐出ボタンを覆うように形成された胴体部を有しており、この胴体部には、内容物を吐出させるための噴射用開口部と、吐出ボタンを操作可能にするための操作用開口部とが形成されている。
【０００３】
また、特許文献２に開示されている噴射装置では、容器のステムに接続されたノズルを操作するための操作ボタンと、操作ボタンをロックするためのロック機構とが設けられている。ロック機構は、スライド部材を備えており、このスライド部材をスライドさせることによって操作ボタンの操作を阻止するロック状態と、操作ボタンの操作を許容するアンロック状態とに切り替えられるようになっている。
【先行技術文献】
【特許文献】
【０００４】
【特許文献１】特開２００２−１０４５５２号公報
【特許文献２】特開２００８−１３６８８８号公報
【発明の概要】
【発明が解決しようとする課題】
【０００５】
特許文献１では、誤作動防止キャップを回動させることによって操作用開口部の位置を変更することで、不使用時に吐出ボタンを操作不可能な状態にし、使用者が誤って内容物を噴射してしまうのを抑制することができる。また、特許文献２では、不使用時にロック機構のスライド部材をロック位置にしておくことで使用者が誤って内容物を噴射してしまうのを抑制することができる。
【０００６】
しかしながら、特許文献１では、誤操作防止キャップが吐出ボタンを覆うように形成された胴体部を備えているので、誤操作防止キャップを設けることによって噴射装置が全体として大型化してしまう。
【０００７】
また、特許文献２では、スライド部材によってロックすることができるので、特許文献１のものよりは小型化できると考えられるが、操作ボタンとは別に移動するスライド部材を設けなければならないので、その分、噴射装置が全体として大型化してしまう。
【０００８】
本発明は、かかる点に鑑みてなされたものであり、その目的とするところは、不使用時には操作部材をロック状態にすることが可能な噴射装置を小型化することにある。
【課題を解決するための手段】
【０００９】
上記目的を達成するために、本発明では、容器に固定される固定部材に、操作部材の壁部の内方に配置される内壁部を設け、この内壁部にロック部とアンロック部とを設けて操作部材を回動させることによってロック状態とアンロック状態とに切り替えることができるようにした。
【００１０】
第１の発明は、
噴射物を収容するとともに、該噴射物を噴射させるための押動操作可能な噴射部を有する容器と、
上記容器に固定される固定部材と、
上記容器の噴射部を押動操作するための操作部材とを備えた噴射装置において、
上記操作部材には、押動操作方向に延びる壁部が設けられ、
上記固定部材には、上記操作部材の壁部の内方に配置されて該壁部に沿って延びる内壁部が設けられ、
上記操作部材の壁部には、係合部が設けられ、
上記内壁部には、上記係合部に対して押動操作方向から係合して上記操作部材の押動操作方向への移動を阻止するロック部と、上記操作部材を押動操作方向に延びる直線周りに所定のアンロック位置まで回動させたときに上記係合部が押動操作方向に移動するのを許容するアンロック部とが設けられていることを特徴とする。
【００１１】
この構成によれば、操作部材を所定のアンロック位置まで回動させると、操作部材の壁部に設けた係合部がアンロック部によって押動操作方向に移動可能になる。これにより、操作部材を押動操作方向に移動させることができるので、容器の噴射部を押動操作して噴射物を噴射させることが可能になる。一方、操作部材をアンロック位置まで回動させない状態では、操作部材の壁部の係合部がロック部に係合して操作部材の押動操作方向への移動が阻止される。従って、噴射物が誤って噴射されることはない。
【００１２】
ロック部及びアンロック部は、操作部材の壁部の内方に配置される内壁部に設けられているので、操作部材の外部に従来例のような誤操作防止キャップやスライド部材等を設けなくて済む。
【００１３】
第２の発明は、第１の発明において、
上記固定部材の内壁部は、上記操作部材の壁部を押動操作方向に案内するように形成されていることを特徴とする。
【００１４】
この構成によれば、操作部材が固定部材の内壁部によって押動操作方向に案内されるので、操作部材の操作性が良好になる。
【００１５】
第３の発明は、第１または２の発明において、
上記係合部は、上記壁部の内面から突出する突出部で構成されており、
上記アンロック部は、押動操作方向に延びるように上記内壁部に形成された溝で構成されていることを特徴とする。
【００１６】
この構成によれば、突出部が溝の内部を通ることによって押動操作方向に移動可能となるので、簡単な構成でロック状態とアンロック状態とを作り出すことが可能になる。
【００１７】
第４の発明は、第３の発明において、
上記内壁部には、上記操作部材を上記アンロック位置まで回動させたときに上記係合部が当接して上記操作部材の回動を阻止するストッパ部が設けられていることを特徴とする。
【００１８】
この構成によれば、操作部材をアンロック位置まで回動させると、係合部がストッパ部に当接して操作部材の回動が阻止されるので、操作部材をアンロック位置で止めることが可能になる。
【００１９】
第５の発明は、第１から４のいずれか１つの発明において、
上記内壁部には、上記操作部材を所定のアンロック位置まで回動させたときに該操作部材の壁部に嵌合する第１嵌合部が設けられていることを特徴とする。
【００２０】
この構成によれば、操作部材を所定のアンロック位置まで回動させると、内壁部の第１嵌合部が操作部材の壁部に嵌合するので、操作部材を押動操作する際に操作部材が回動しにくくなり、操作性が良好になる。
【００２１】
第６の発明は、第１から５のいずれか１つの発明において、
上記内壁部には、上記操作部材を上記係合部と上記ロック部とが係合するまで回動させたときに該操作部材の壁部に嵌合する第２嵌合部が設けられていることを特徴とする。
【００２２】
この構成によれば、操作部材をロック位置まで回動させると、内壁部の第２嵌合部が操作部材の壁部に嵌合するので、操作部材が不用意にアンロック位置まで回動してしまうのが抑制される。
【発明の効果】
【００２３】
第１の発明によれば、容器に固定される固定部材に、操作部材の壁部の内方に配置される内壁部を設け、この内壁部にロック部とアンロック部とを設けて操作部材を回動させることによってロック状態とアンロック状態とに切り替えることができる。これにより、操作部材の外部にキャップやスライド部材等を設けなくて済むので、噴射装置を小型化できる。
【００２４】
第２の発明によれば、操作部材を固定部材の内壁部によって押動操作方向に案内できるので、操作部材の操作性を良好にすることができる。
【００２５】
第３の発明によれば、係合部を突出部とし、アンロック部を溝としたので、簡単な構成でロック状態とアンロック状態とを作り出すことができる。
【００２６】
第４の発明によれば、操作部材をアンロック位置まで回動させたときに係合部をストッパ部に当接させることができるので、操作部材をアンロック位置で止めることができる。
【００２７】
第５の発明によれば、操作部材を所定のアンロック位置まで回動させると、固定部材の内壁部の第１嵌合部が操作部材の壁部に嵌合するので、操作部材を押動操作する際に操作部材が回動しにくくなり、操作性を良好にすることができる。
【００２８】
第６の発明によれば、操作部材をロック位置まで回動させると、固定部材の内壁部の第２嵌合部が操作部材の壁部に嵌合するので、操作部材が不用意にアンロック位置まで回動してしまうのを抑制することができる。
【図面の簡単な説明】
【００２９】
【図１】実施形態に係る噴射装置を正面側から見た斜視図である。
【図２】アンロック状態にある噴射装置を背面側から見た斜視図である。
【図３】実施形態に係る噴射装置の正面図である。
【図４】実施形態に係る噴射装置の右側面図である。
【図５】ロック状態にある噴射装置を背面側から見た斜視図である。
【図６】アンロック状態にある噴射装置の平面図である。
【図７】図６におけるVII−VII線断面図である。
【図８】ロック状態にある噴射装置の平面図である。
【図９】図８におけるIX−IX線断面図である。
【図１０】キャップを背面側から見た斜視図である。
【図１１】キャップの平面図である。
【図１２】図１０におけるXII−XII線断面図である。
【図１３】図１０におけるXIII−XIII線断面図である。
【図１４】図１０におけるXIV−XIV線断面図である。
【図１５】操作ボタンを正面側から見た斜視図である。
【図１６】操作ボタンを背面側から見た斜視図である。
【図１７】操作ボタンの平面図である。
【図１８】操作ボタンの底面図である。
【図１９】操作ボタンの正面図である。
【図２０】操作ボタンの背面図である。
【図２１】操作ボタンの右側面図である。
【図２２】操作ボタンの左側面図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
図１は、本発明の実施形態に係る噴射装置１を示すものである。噴射装置１は、エアゾール容器１０と、エアゾール容器１０に固定されるキャップ（固定部材）２０と、操作ボタン（操作部材）３０とを備えている。
【００３２】
エアゾール容器１０には、噴射物としての害虫防除剤や香料、殺菌剤等の薬剤と、薬剤を噴射させるためのガスとが収容されている。エアゾール容器１０の上部には、上方へ突出するステム（噴射部）１１（図７及び図８に仮想線で示す）が設けられている。ステム１１は、図示しないが付勢部材によって上方へ付勢されている。ステム１１が上昇位置にあるときにはエアゾール容器１０に内蔵されたバルブ（図示せず）が閉じられる一方、上昇位置から付勢部材の付勢力に抗して下方へ押動するとバルブが開かれてステム１１の内部から噴射物がガスと共に噴射するように構成されている。この噴射機構は従来周知の構成であるため、詳細な説明は省略する。
【００３３】
この実施形態の説明では、噴射物を噴射する側を噴射装置１の前側とし、その反対側を噴射装置１の後側とする。そして、噴射装置１を前側から見たときに左となる側を噴射装置１の左側とし、噴射装置１を前側から見たときに右となる側を噴射装置１の右側とする。
【００３４】
キャップ２０は、エアゾール容器１０の上部を覆うように形成された部材である。操作ボタン３０は、エアゾール容器１０のステム１１を押動操作するための部材である。キャップ２０及び操作ボタン３０を構成する樹脂材は、弾性変形可能な材料である。
【００３５】
図１５〜図２２に示すように、操作ボタン３０は、上下方向、即ち押動操作方向に延びる円筒状壁部３１と、円筒状壁部３１の上端部において押動操作方向と交差する方向に延びる上壁部３２とを有している。上壁部３２は略円形であり、その上面は、中央部が最も下に位置するように湾曲した湾曲面で構成されている。この上壁部３２に使用者の指を置くことができるようになっている。
【００３６】
図７に示すように、操作ボタン３０の上壁部３２の下面における中央部には、下方へ突出する接続筒部３３が設けられている。接続筒部３３の下端部は開放されており、この接続筒部３３の下端部にはエアゾール容器１０のステム１１の上端部が嵌入して気密に接続される。これにより操作ボタン３０がエアゾール容器１０のステム１１と一体化するので、外力が作用していない状況ではステム１１の付勢力によって上昇端位置（図７に示す）に位置している。
【００３７】
操作ボタン３０の上壁部３２の下面には、噴射剤流通管部３４が設けられている。噴射剤流通管部３４は、上壁部３２の下面の中央部から前側へ向かって円筒状壁部３１に達するまで延びている。噴射剤流通管部３４における上壁部３２の中央に位置する端部には、接続筒部３３の上端部（下流端部）が接続されている。円筒状壁部３１の前側には、噴射口３１ａが開口しており、この噴射口３１ａに、噴射剤流通管部３４の前端部（下流端部）が接続されている。
【００３８】
図１７〜図２０に示すように、操作ボタン３０の円筒状壁部３１の外面には、左側に左側突起３１ｂが形成され、右側に右側突起３１ｃが形成されている。左側突起３１ｂ及び右側突起３１ｃは、円筒状壁部３１の下端部に位置している。図１９に示すように、左側突起３１ｂ及び右側突起３１ｃの下面は、突出方向先端側へ行くに従って上に位置するように傾斜した傾斜面で構成されている。一方、左側突起３１ｂ及び右側突起３１ｃの上面は、円筒状壁部３１の径方向に延びている。
【００３９】
図２２に示すように、左側突起３１ｂは、操作ボタン３０の前後方向中央部よりも前側寄りに位置している。また、図２１に示すように、右側突起３１ｃは、操作ボタン３０の前後方向中央部よりも後側寄りに位置している。
【００４０】
操作ボタン３０の円筒状壁部３１の外面における後部には、後側へ突出して上下方向に延びる突出板部３１ｄが形成されている。突出板部３１ｄは、左側突起３１ｂ及び右側突起３１ｃよりも上方に位置している。突出板部３１ｄの上縁部は、突出方向先端側へ行くに従って下方に位置するように傾斜している。
【００４１】
図２や図５に示すように、突出板部３１ｄは、操作ボタン３０を回動させる際に指等を掛けることができるものであるとともに、操作ボタン３０がロック位置にあるか、アンロック位置にあるかを示す際の目印となる。
【００４２】
図１８に示すように、操作ボタン３０の円筒状壁部３１の内面における前部には、嵌合凸部３１ｅが形成されている。嵌合凸部３１ｅは、後述するがキャップ２０に設けられた嵌合凹部（図１１における符号２３ａ、２３ｂ）に嵌合するものであり、噴射口３１ａ及び噴射剤流通管部３４から右側に離れて配置されている。嵌合凸部３１ｅは、円筒状壁部３１の下端部から上端部に亘って延びている。
【００４３】
また、操作ボタン３０の円筒状壁部３１の内面における左側には、該内面から突出する左側突出板部（突出部）３５が設けられている。また、操作ボタン３０の円筒状壁部３１の内面における右側には、該内面から突出する右側突出板部（突出部）３６が設けられている。左側突出板部３５及び右側突出板部３６は、本発明の係合部に相当する部分であり、円筒状壁部３１の下端部から上端部に亘って延びている。
【００４４】
次に、キャップ２０の構造について説明する。図１０〜図１４に示すように、キャップ２０は、外周壁部２１と、内周壁部２２と、内壁部２３とを有している。外周壁部２１は上下方向に延びる円筒状をなしており、下端部にはエアゾール容器１０の上部が挿入されるようになっている。外周壁部２１の内方に円筒状の内周壁部２２が位置しており、外周壁部２１と内周壁部２２との間には中空部が設けられている。内周壁部２２の内径は、操作ボタン３０の円筒状壁部３１の外径よりも大きく設定されており、内周壁部２２の内側に操作ボタン３０を挿入することが可能になっている。また、外周壁部２１の下端部は、内周壁部２２の下端部よりも下に位置している。
【００４５】
図１等にも示すように、キャップ２０の前部には、噴射口２０ａが形成されている。噴射口２０ａは、上下方向に長い楕円形状であり、外周壁部２１及び内周壁部２２を前後方向に貫通している。外周壁部２１の外面における前部には、噴射口２０ａを囲むように凹部２０ｂが形成されている。凹部２０ｂは噴射口２０ａと同様に上下方向に長い形状となっている。
【００４６】
図２等にも示すように、キャップ２０の後部には、指を挿入するための指挿入用切欠部２４が形成されている。指挿入用切欠部２４は、外周壁部２１及び内周壁部２２の後部を切り欠くことによって形成されたものである。指挿入用切欠部２４は、キャップ２０の上端部から上下方向中間部に亘っており、指挿入用切欠部２４の左右両側縁部の間隔は、少なくとも指の先端側をキャップ２０の外部から内部へ差し込むことができるように十分な広さに設定されている。指挿入用切欠部２４の左右両側縁部は上下方向に略平行に延びている。また、指挿入用切欠部２４の底面部２４ａは、左右方向に延びるとともに、内周壁部２２から外周壁部２１に向かって下降傾斜しながら延びている。
【００４７】
指挿入用切欠部２４の底面部２４ａ及びその近傍には、操作ボタン３０がロック位置にあるか、アンロック位置にあるかを示すための表示部２５が設けられている。表示部２５は、操作ボタン３０がロック位置にあることを示すロック位置表示部２５ａと、操作ボタン３０がアンロック位置にあることを示すアンロック位置表示部２５ｂとを有している。ロック位置表示部２５ａには「ＬＯＣＫ」の文字が付されており、また、アンロック位置表示部２５ｂには「ＯＰＥＮ」の文字が付されている。そして、図５及び図８に示すように操作ボタン３０の突出板部３１ｄがロック位置表示部２５ａと一致している場合には、操作ボタン３０がロック位置にあることを示し、図２及び図６に示すように操作ボタン３０の突出板部３１ｄがアンロック位置表示部２５ｂと一致している場合には、操作ボタン３０がアンロック位置にあることを示す。これにより、操作ボタン３０がロック位置にあるか、アンロック位置にあるかを使用者が目視によって容易に把握することができる。
【００４８】
図１２や図１４に示すように、内周壁部２２の左側には、左側開口部２２ａが形成されている。左側開口部２２ａは側面視で略矩形状をなしている。また、内周壁部２２の右側には、同様な右側開口部２２ｂが形成されている。左側開口部２２ａには、操作ボタン３０の左側突起３１ｂが挿入され、右側開口部２２ｂには、操作ボタン３０の右側突起３１ｃが挿入される。左側開口部２２ａ及び右側開口部２２ｂは、それぞれ操作ボタン３０の左側突起３１ｂ及び右側突起３１ｃよりも大きいので、左側突起３１ｂ及び右側突起３１ｃを左側開口部２２ａ及び右側開口部２２ｂに挿入したままで、操作ボタン３０を、ステム１１の押動操作方向に移動させることができるとともに、押動操作方向に延びる直線周りに回動させることもできる。
【００４９】
内周壁部２２の下端部には、下方へ突出する前側円弧状板部２２ｃ及び後側円弧状板部２２ｄが形成されている。前側円弧状板部２２ｃは、左右方向の中央部が最も前に位置するように湾曲している。後側円弧状板部２２ｄは、左右方向の中央部が最も後に位置するように湾曲している。前側円弧状板部２２ｃ及び後側円弧状板部２２ｄは、前後方向の間隔が拡大する方向に弾性変形可能に形成されている。前側円弧状板部２２ｃと後側円弧状板部２２ｄとの間にエアゾール容器１０の上部が挿入され、挿入されたエアゾール容器１０の上部は前側円弧状板部２２ｃと後側円弧状板部２２ｄとで径方向に挟持される。これにより、キャップ２０がエアゾール容器１０に固定された状態になる。尚、エアゾール容器１０をキャップ２０から取り外して新しいエアゾール容器に交換することができる。
【００５０】
図７に示すように、内壁部２３は、内周壁部２２よりも小径とされており、内壁部２３と内周壁部２２との間には操作ボタン３０の円筒状壁部３１が配置可能な隙間が形成されている。内壁部２３は、操作ボタン３０の円筒状壁部３１の内方に配置されて該円筒状壁部３１に沿って延びる円筒状に形成されている。内壁部２３の外周面は、操作ボタン３０の円筒状壁部３１の内周面に摺接するようになっており、これにより、内壁部２３が操作ボタン３０の円筒状壁部３１を押動操作方向に案内することが可能になる。
【００５１】
内壁部２３の下端部には、径方向外方へ突出して環状に延びる環状部２６が設けられている。環状部２６の突出方向先端部は、内周壁部２２に連なっている。
【００５２】
図１１に示すように、内壁部２３の外面の前側には、第１嵌合凹部２３ａ及び第２嵌合凹部２３ｂが設けられている。第１嵌合凹部２３ａは、操作ボタン３０をアンロック位置まで回動させたときに該操作ボタン３０の円筒状壁部３１の嵌合凸部３１ｅに嵌合する部分であり、内壁部２３の正面よりも右寄りに位置している。第２嵌合凹部２３ｂは、操作ボタン３０をロック位置まで回動させたときに該操作ボタン３０の円筒状壁部３１の嵌合凸部３１ｅに嵌合する部分であり、内壁部２３の正面に位置している。第１嵌合凹部２３ａ及び第２嵌合凹部２３ｂは上下方向に延びている。
【００５３】
図１３に示すように、内壁部２３の上端部の後側には、内壁部２３の内方へ延びる延出板部２３ｃが形成されている。図１１に示すように、延出板部２３ｃは、延出方向先端側へ行くほど幅が狭くなる略扇形をなしている。
【００５４】
図１０、図１１及び図１３に示すように、内壁部２３には、上下方向、即ち、操作ボタン３０の押動操作方向に延びる左側溝部２７と右側溝部２８とが形成されている。左側溝部２７は内壁部２３の上端部から下端部近傍まで延びている。左側溝部２７の上半部の幅は下半部の幅よりも広く設定されている。左側溝部２７の下半部の幅は、操作ボタン３０の左側突出板部３５を挿入することができるように、左側突出板部３５の厚みよりも若干広めに設定されている。左側溝部２７における上下方向中間部には、後方へ延びる中間縁部２７ａが形成されている。中間縁部２７ａの後端部には、上方へ延びる後縁部２７ｂが形成されている。
【００５５】
また、右側溝部２８も内壁部２３の上端部から下端部近傍まで延びている。右側溝部２８の上半部の幅も下半部の幅よりも広く設定されている。右側溝部２８の下半部の幅は、操作ボタン３０の右側突出板部３６を挿入することができるように、右側突出板部３６の厚みよりも若干広めに設定されている。右側溝部２８における上下方向中間部には、前方へ延びる中間縁部２８ａが形成されている。中間縁部２８ａの前端部には、上方へ延びる前縁部２８ｂが形成されている。
【００５６】
操作ボタン３０を押動操作方向に延びる直線周りに回動させてアンロック位置にすると、キャップ２０の第１嵌合凹部２３ａが操作ボタン３０の円筒状壁部３１の嵌合凸部３１ｅに嵌合する。これにより、操作ボタン３０を押動操作する際に操作ボタン３０が回動しにくくなり、操作性が良好になる。このとき、操作ボタン３０の左側突出板部３５が左側溝部２７の前縁部２７ｃに当接するとともに、操作ボタン３０の右側突出板部３６が右側溝部２８の後縁部２８ｃに当接する。これにより、操作ボタン３０がそれ以上回動するのが阻止される。左側溝部２７の前縁部２７ｃ及び右側溝部２８の後縁部２８ｃは、本発明のストッパ部である。
【００５７】
操作ボタン３０がアンロック位置にあるときには、左側突出板部３５が左側溝部２７の下半部の直上方に位置するとともに、右側突出板部３６が右側溝部２８の下半部の直上方に位置する。この状態で操作ボタン３０を押動操作方向（ステム１１の押動操作方向）に押すと、左側突出板部３５の下側が左側溝部２７の下半部に入るとともに、右側突出板部３６の下側が右側溝部２８の下半部に入っていくので、操作ボタン３０の押動操作方向への移動が許容される。そして、操作ボタン３０が押動操作されることでステム１１が付勢力に抗して下降してエアゾール容器１０に内蔵されたバルブが開いて噴射物が操作ボタン３０の接続筒部３３に流入する。接続筒部３３に流入した噴射物は、噴射剤流通管部３４を流通して噴射口３１ａから噴射される。つまり、左側溝部２７及び右側溝部２８の下半部は、操作ボタン３０を押動操作方向に延びる直線周りに所定のアンロック位置まで回動させたときに、左側突出板部３５及び右側突出板部３６が押動操作方向に移動するのを許容するアンロック部である。
【００５８】
操作ボタン３０を押動するときには、キャップ２０の内壁部２３が操作ボタン３０の円筒状壁部３１を押動操作方向に案内するので、操作ボタン３０の操作性が良好になる。
【００５９】
一方、操作ボタン３０に対する押圧力を除くと操作ボタン３０がステム１１の付勢力によって上昇端位置まで上昇する。そして、アンロック位置にある操作ボタン３０を押動操作方向に延びる直線周り回動させてロック位置にすると、キャップ２０の第２嵌合凹部２３ｂが操作ボタン３０の円筒状壁部３１の嵌合凸部３１ｅに嵌合する。これにより、操作ボタン３０が不用意にアンロック位置まで回動してしまうのが抑制される。
【００６０】
このとき、操作ボタン３０の左側突出板部３５が左側溝部２７の後縁部２７ｂに当接するとともに、操作ボタン３０の右側突出板部３６が右側溝部２８の前縁部２８ｂに当接する。これにより、操作ボタン３０がそれ以上回動するのが阻止される。操作ボタン３０がロック位置にあるときには、左側突出板部３５が左側溝部２７の中間縁部２７ａの上方に位置するとともに、右側突出板部３６が右側溝部２８の中間縁部２８ａの上方に位置する。この状態で操作ボタン３０を押動操作方向に押すと、左側突出板部３５の下端部が左側溝部２７の中間縁部２７ａに上方から当接して係合状態となり、また、右側突出板部３６の下端部が右側溝部２８の中間縁部２８ａに上方から当接して係合状態となる。これにより、操作ボタン３０の押動操作方向への移動が阻止されるので、ステム１１が押動されることはない。つまり、左側溝部２７の中間縁部２７ａ及び右側溝部２８の中間縁部２８ａは、操作ボタン３０の左側突出板部３５及び右側突出板部３６に対してその押動操作方向から係合して操作ボタン３０の押動操作方向への移動を阻止するロック部である。
【００６１】
以上説明したように、この実施形態に係る噴射装置１によれば、エアゾール容器１０に固定されるキャップ２０に、操作ボタン３０の円筒状壁部３１の内方に配置される内壁部２３を設け、この内壁部２３に左側溝部２７及び右側溝部２８を設けて操作ボタン３０を回動させることによってロック状態とアンロック状態とに切り替えることができるようにしている。これにより、操作ボタン３０の外部に従来例のような別体の誤作動防止キャップやスライド部材等を設けなくて済むので、噴射装置１を小型化できる。
【００６２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６３】
以上説明したように、本発明に係る噴射装置は、例えば害虫防除剤等を噴射させる場合に使用することができる。
【符号の説明】
【００６４】
１            噴射装置
１０          エアゾール容器
１１          ステム（噴射部）
２０          キャップ（固定部材）
２３          内壁部
２３ａ        第１嵌合凹部（第１嵌合部）
２３ｂ        第２嵌合凹部（第２嵌合部）
２７          左側溝部（アンロック部）
２７ａ        中間縁部（ロック部）
２７ｃ        前縁部（ストッパ部）
２８          右側溝部（アンロック部）
２８ａ        中間縁部（ロック部）
２８ｃ        後縁部（ストッパ部）
３０          操作ボタン（操作部材）
３１          円筒状壁部
３５          左側突出板部（突出部）
３６          右側突出板部（突出部）
【図１】
2016130142.tif 000003
【図２】
2016130142.tif 000004
【図３】
2016130142.tif 000005
【図４】
2016130142.tif 000006
【図５】
2016130142.tif 000007
【図６】
2016130142.tif 000008
【図７】
2016130142.tif 000009
【図８】
2016130142.tif 000010
【図９】
2016130142.tif 000011
【図１０】
2016130142.tif 000012
【図１１】
2016130142.tif 000013
【図１２】
2016130142.tif 000014
【図１３】
2016130142.tif 000015
【図１４】
2016130142.tif 000016
【図１５】
2016130142.tif 000017
【図１６】
2016130142.tif 000018
【図１７】
2016130142.tif 000019
【図１８】
2016130142.tif 000020
【図１９】
2016130142.tif 000021
【図２０】
2016130142.tif 000022
【図２１】
2016130142.tif 000023
【図２２】
2016130142.tif 000024